(57)【要約】【課題】  キーロック中の消費電力を抑制することにより、省電力機能に優れる精算処理装置を提供すること。【解決手段】  ロックキー２４のロック操作に基づくキーロック時（ロックモード時）に、ロック制御部２６は、データ入力を禁止するとともに、ロック信号を電力管理手段４７に出力する。電力管理手段４７は、ロック信号に基づいて、ＣＰＵの動作クロックを低速に変更するとともに、周辺装置１２、１３、１６，１４等に対して不要な電力の供給を停止する。ロック制御部２６からロック解除信号を受信すると、電力管理手段４７は各部に通常の電力を供給するとともにＣＰＵの動作クロックを通常の動作クロックに戻す。【選択図】  図３
2006190017.tif 000002
【特許請求の範囲】
【請求項１】
入力装置、プリンタ、表示装置を含む周辺装置と、前記周辺装置が接続されており、該周辺装置の制御及び購入商品の精算処理を行うホスト装置とを備える精算処理装置において、
ロックキーによるロック操作またはロック解除操作に応じて、ロック信号またはロック解除信号を出力するロック部と、
前記ロック信号を受信したときに、前記入力装置からのデータ入力を無能化するロック制御部と、
前記ロック信号を受信したときに、前記精算処理装置の消費電力を抑制する省電力モードに移行させる電力管理手段と、
を備えることを特徴とする精算処理装置。
【請求項２】
前記電力管理手段は、さらに、前記ロック信号を受信したときに、少なくとも１つの前記周辺装置への電力の供給を停止又は制限することを特徴とする請求項１に記載の精算処理装置。
【請求項３】
前記電力管理手段は、前記ロック信号を受信してから所定の時間を経過した後に前記周辺装置の一部または全部への電力の供給を停止、または制限することを特徴とする請求項１に記載の精算処理装置。
【請求項４】
前記ロック解除信号を受信したときに、
前記電力管理手段は、前記省電力モードから前記ホスト装置及び前記周辺装置に通常の電力を供給する通常動作モードに復帰させ、
前記ロック制御部は前記入力装置からのデータ入力を可能にする、
ことを特徴とする請求項３に記載の精算処理装置。
【請求項５】
前記表示装置の少なくとも一つはタッチパネルを備えており、該タッチパネルからロックモードを解除するための所定のパスワードを受信したときに、
前記電力管理手段は、前記省電力モードから前記通常動作モードに復帰させ、
前記ロック制御部は、前記入力装置からの入力を可能にする、
ことを特徴とする請求項４に記載の精算処理装置。
【請求項６】
さらに、前記電力管理手段は、前記省電力モード中は前記タッチパネルへの電力の供給を停止し、前記省電力モード中に所定のスイッチが押下されたときに、前記タッチパネルに電力を供給することを特徴とする請求項５に記載の精算処理装置。
【請求項７】
ホスト装置、及び該ホスト装置に接続される入力装置、表示装置、プリンタを含む周辺装置を備えており購入商品の精算処理を行う精算処理装置の動作制御方法であって、
（ａ）  ロックキーの操作により、ロック信号を出力する工程と、
（ｂ）  前記ロック信号を受信したときに、前記入力装置からのデータ入力を無能化する工程と、
（ｃ）  前記ロック信号を受信したときに、前記精算処理装置の消費電力を抑制する省電力モードに移行する工程と、
を備えることを特徴とする精算処理装置の動作制御方法。
【請求項８】
前記工程（ｃ）は、前記ロック信号を受信したときに、ＣＰＵの動作クロックを低速にすることを特徴とする請求項６に記載の精算処理装置の動作制御方法。
【請求項９】
さらに、前記工程（ｃ）は、前記ロック信号を受信したときに、前記周辺装置の一部または全部に対して電力の供給を停止することを特徴とする請求項７、または８に記載の精算処理装置の動作制御方法。
【請求項１０】
さらに、
（ｄ）  ロック解除操作により、ロック解除信号を出力する工程と、
（ｅ）  前記ロック解除信号を受信したときに、前記データ入力の無能化を解除する工程と、
（ｆ）  前記省電力モード中に前記ロック解除信号を受信したときに、前記省電力モードを解除する工程と、
を備えることを特徴とする請求項６，７、８、９のいずれか１項に記載の精算処理装置の動作制御方法。
【請求項１１】
さらに、
（ｇ）  前記省電力モード中に、電源スイッチ投入信号を受信したときに、タッチパネル入力を可能にし、前記タッチパネルから所定のパスワードを受信したときに、前記工程（ｅ）及び（ｆ）を実行する工程を備えることを特徴とする請求項１０に記載の精算処理装置の動作制御方法。
【発明の詳細な説明】
【技術分野】
【０００１】
本発明は、店舗等において購入商品の精算処理を行うＰＯＳ端末装置、スタンドアロンのＰＯＳ装置、または金銭登録機等の精算処理装置及び精算処理装置の動作制御方法に関する。
【背景技術】
【０００２】
金銭登録機又はＰＯＳ端末装置等の精算処理装置は、顧客との金銭の授受を行うために金銭を収納するキャッシュボックスを備えている。そのため、キャッシュボックス内の金銭管理の観点から、従来から精算処理を行うオペレータが精算処理装置を離れるときにはロックキーを用いて精算処理装置の操作をロックし、キャッシュボックスを開閉することができないようにしている。また、操作権限のない者がキーボード等の入力装置の操作を行うことにより、精算処理装置に誤ったデータが登録されてしまい、混乱を生じるおそれもある。これらの問題をなくすため、所定のパスワードの入力により、入力操作を禁止するように構成した精算処理装置が存在する。さらに、パスワードの入力だけではセキュリティ上不完全であるとして、特許文献１に記載の発明では、物理的なロック機構(ロック部)を設けている。この装置では、ロックキーをロック部に挿入してロック位置に移動させると、ロックフラグＯＮとなる。ロックフラグＯＮとなっている間は、ロック部がデータの入力を禁止して、データの入力ができないようになっている（以下、この状態を「ロックモード」と称する）。
【特許文献１】特開平１１−２４７９０号公報
【発明の開示】
【発明が解決しようとする課題】
【０００３】
上述のようなパスワードやロック機構を設けることにより、不正入力や権限のない者による精算処理装置の誤操作を防止することは可能となる。しかし、ロックモードは、オペレータが精算処理装置を離れる等の理由により精算処理装置が使用されないことを前提とした動作モードであるにもかかわらず、精算処理装置に電力が供給されている。これは、本来的に不要な電力を無駄に消費するものであることは明らかであり、エネルギー資源の無駄遣いである。
【０００４】
この発明は、上述の問題に鑑みなされたもので、ロックモード時における無駄な電力の消費を抑制し、環境に優しい精算処理装置及び精算処理装置の動作制御方法を提供することを目的とする。
【課題を解決するための手段】
【０００５】
本発明では、精算処理装置がロックモードに移行するときに、精算処理装置の消費電力を抑制する省電力モードに移行させるよう構成して、上記課題を解決する。
【０００６】
本発明の第１の態様にかかる精算処理装置は、入力装置、プリンタ、表示装置を含む周辺装置と、周辺装置が接続されており、該周辺装置の制御及び購入商品の精算処理を行うホスト装置とを備える精算処理装置において、ロックキーによるロック操作またはロック解除操作に応じて、ロック信号またはロック解除信号を出力するロック部と、ロック信号を受信したときに、入力装置からのデータ入力を無能化するロック制御部と、ロック信号を受信したときに、精算処理装置の消費電力を抑制する省電力モードに移行させる電力管理手段とを備えることを特徴とする。
【０００７】
この態様によると、ロックモード移行時に、省電力モードへ移行するため、精算処理装置の消費電力を大幅に抑制することが可能となる。
【０００８】
本発明の他の態様にかかる精算処理装置は、電力管理手段が、さらに、ロック信号を受信したときに、少なくとも一つの周辺装置への電力の供給を停止又は制限することを特徴とする。
【０００９】
この態様は、キーボード、スキャナ、オペレータ用ディスプレイ、カストマディスプレイ、プリンタ等の周辺装置への、不必要な電力の供給を停止しまたは、制限するものであり、周辺装置の無駄な消費電力を抑制可能となる。電力の供給を停止するとは、電源をすべて遮断するものであり、制限するとは、一部の電力だけを供給することである。
【００１０】
本発明の他の態様にかかる精算処理装置は、電力管理手段が、ロック信号を受信してから所定の時間を経過した後に周辺装置の一部または全部の電力の供給を停止または制限することを特徴とする。
【００１１】
この態様では、例えば、インクジェットプリンタ、レーザプリンタのように、電力を供給してから通常動作するまでに時間を要する周辺装置については、所定時間経過後に電力の供給を停止または制限する。ロックモード期間が短い場合には電力を制限して供給することにより、立ち上げにかかる無駄な時間をセーブできる。また、電力の供給を停止または制限するまでの期間は、周辺装置に応じて異なる期間を設定することが可能である。
【００１２】
本発明の他の態様にかかる精算処理装置は、ロック解除信号を受信したときに、電力管理手段が、省電力モードからホスト装置及び周辺装置に通常の電力を供給する通常動作モードに復帰させ、ロック制御部が入力装置からのデータ入力を可能にすることを特徴とする。
【００１３】
この態様では、ロック解除信号を受信したときに、ロックモードを解除する。
【００１４】
本発明の他の態様にかかる精算処理装置は、表示装置の少なくとも一つがタッチパネルを備えており、該タッチパネルからロックモードを解除するための所定のパスワードを受信したときに、電力管理手段は、省電力モードから通常動作モードに復帰させ、ロック制御部は、入力装置からの入力を可能にすることを特徴とする。
【００１５】
この態様では、ロックキーの操作によるロック解除信号以外により、ロックモードを解除することができる構成を備えている。タッチパネルから所定のパスワードを受信することにより、ロックモードを解除する。パスワードは、タッチパネルの所定のキー入力の組み合わせにより指定可能である他、押下時間の長さの違い、キーの種類、押下回数及び押下時間の組み合わせにより指定する構成も可能である。
【００１６】
本発明の他の態様にかかる精算処理装置は、さらに、電力管理手段が、省電力モード中はタッチパネルへの電力の供給を停止し、省電力モード中に所定のスイッチが押下されたときに、タッチパネルに電力を供給することを特徴とする。
【００１７】
この態様では、省電力モード中には、タッチパネルの電力の供給を停止しており、所定のスイッチが押下されたときに、タッチパネルに電力を供給する。タッチパネルに電力を供給するための所定のスイッチは、ホスト装置のメイン電源スイッチ、いずれかの周辺装置の電源スイッチ、または操作用の機能スイッチ等である。
【００１８】
本発明の第１の態様にかかる精算処理装置の動作制御方法は、ホスト装置、及び該ホスト装置に接続される入力装置、表示装置、プリンタを含む周辺装置を備えており購入商品の精算処理を行う精算処理装置の動作制御方法であって、（ａ）ロックキーの操作により、ロック信号を出力する工程と、（ｂ）ロック信号を受信したときに、入力装置からのデータ入力を無能化する工程と、（ｃ）ロック信号を受信したときに、精算処理装置の消費電力を抑制する省電力モードに移行する工程と、を備えることを特徴とする。
【００１９】
本発明の他の態様にかかる精算処理装置の動作制御方法は、工程（ｃ）が、ロック信号を受信したときに、ＣＰＵの動作クロックを低速にすることを特徴とする。
【００２０】
本発明の他の態様にかかる精算処理装置の動作制御方法は、さらに、工程（ｃ）が、ロック信号を受信したときに、周辺装置の一部または全部に対して電力の供給を停止することを特徴とする。
【００２１】
本発明の他の態様にかかる精算処理装置の動作制御方法は、さらに、（ｄ）ロック解除操作により、ロック解除信号を出力する工程と、（ｅ）ロック解除信号を受信したときに、データ入力の無能化を解除する工程と、（ｆ）省電力モード中にロック解除信号を受信したときに、省電力モードを解除する工程と、を備えることを特徴とする。
【００２２】
本発明の他の態様にかかる精算処理装置の動作制御方法は、さらに、（ｇ）省電力モード中に、電源スイッチ投入信号を受信したときに、タッチパネル入力を可能にし、タッチパネルから所定のパスワードを受信したときに、工程（ｅ）及び（ｆ）を実行する工程を備えることを特徴とする。
【発明の効果】
【００２３】
本発明によると、ロックモードによりデータ入力を禁止するときに、ロックモードと連動して精算処理装置を省電力モードに移行させるよう構成し、ロックモード時の無駄な電力の消費を確実に抑制できる。ロックモード中に精算処理装置は使用されることはないので、短い期間であっても、無駄なエネルギーの消費を確実に防止し、環境に優しい精算処理装置の提供が可能となる。
【発明を実施するための最良の形態】
【００２４】
図面を用いて本発明の最良の実施形態を説明する。図１乃至図３は、本発明の一実施形態にかかる精算処理装置１０の構成を示す図である。図１は、本発明の精算処理装置１０の基本的な構成要素の一例を示す図であり、図２はその接続形態を示す図である。図３は、図１、図２に示す精算処理装置１０の機能ブロック図である。
【００２５】
本発明は、図１に示すように、ＰＯＳ端末装置等の精算処理装置の本体部分であるホスト装置１１に、キーボード等の入力装置１２、オペレータディスプレイ、カストマディスプレイ等の表示装置１３、レシート等を印刷するプリンタ１４、キャッシュドロア１５等を備えている。ＰＯＳ端末装置には、通常、さらにバーコード情報を読み取るバーコードスキャナ、磁気カードを読み取るカードリーダ等の各種装置が接続されるが、本発明の特徴を簡明に示すために、図１乃至図３では図示していない。また、図１乃至図３においては、入力装置としてキーボードを使用した例を示しているが、タッチパネル等、キーボード以外の入力装置を備える構成としても良い。
【００２６】
キーボード等の入力装置１２（以下、特に必要がない限り、単に「入力装置１２」と称する）は、ロック部２３を備えている。ロック部２３は、ロックキー２４をキー穴２５に挿入し、所定の位置に回転させることによりロックモードの設定及び解除を行う。また、ホスト装置１１は、電源ユニット３７を備えており、この電源ユニット３７から入力装置１２、表示装置１３その他の装置に電力を供給する。
【００２７】
精算処理装置１０は、図示しないバーコードスキャナによる読取入力や入力装置１２からの入力に基づいて、購入商品の精算処理を行う。キーボード、スキャナ等からの入力情報はホスト装置１１に送信され、ホスト装置１１において購入金額、精算金額等が計算される。購入情報及び精算情報はホスト装置１１から、カストマディスプレイを含む各種の表示装置１３送信される。また、これらのデータはホスト装置１１からプリンタ１４にも送信され、購入商品の明細、精算金額等を印刷したレシートが発行される。精算金額が確定し、オペレータが金銭を受け取ると、キャッシュドロア１５が開閉可能となり、顧客との間で現金の授受が行われる。また、誤操作や防犯の観点から、オペレータが精算処理装置１０から離れるときには、ロックキー２４を用いて、精算処理装置の入力を受け付ないようにしている。
【００２８】
図２に、入力装置１２及び他の各周辺装置１３乃至１５と、ホスト装置１１の接続形態を示す。ホスト装置１１は、中央制御装置であるＣＰＵ３０、制御プログラム及び制御データ等を記憶するメモリ３５と、ホスト装置１１及び外部の各装置に電力を供給する電源ユニット３７、電源スイッチ３６、及び外部装置とのインタフェースを構成する第１ブリッジ３１、第２ブリッジ３２、Ｉ／Ｏ制御ＩＣ３３とを備えている。第１ブリッジ３１、第２ブリッジ３２、Ｉ／Ｏ制御ＩＣ３３は、それぞれ、ノースブリッジ、サウスブリッジ、スーパーＩ／Ｏとも称される。ＣＰＵ３０及び第１ブリッジ３１、第２ブリッジ３２、Ｉ／Ｏ制御ＩＣ３３、及びメモリ３５の間は、内部バスで接続されている。ＣＰＵ３０は、図示しない発振回路から出力される動作クロックに基づいて一定の速度で動作する。なお、以上の接続形態は一例であり、１つのＣＰＵチップ内に第１ブリッジ、第２ブリッジ、Ｉ／Ｏ制御ＩＣ等を有する接続形態も本発明に含まれる。
【００２９】
図２の例では、ホスト装置１１に、第１ブリッジ３１を介して、タッチパネル１６を備える表示装置１３が接続されている。また、第２ブリッジ３２を介して、入力装置１２が接続され、Ｉ／Ｏ制御ＩＣ３３を介して、プリンタ１４及びキャッシュドロア１５が接続されている。
【００３０】
入力装置１２は、各文字、数字等に対応する入力キー２１と、押下された入力キー２１に対応するデータをホスト装置に送信するコントローラ２２を備えている。入力装置１２はさらに、ロック部２３を備えており、コントローラ２２にロック制御部２６が設けられている。ロック部２３は、ロックキー２４をキー穴２５に挿入して、ロック位置まで回転することにより、コントローラ２２のロック制御部２６にロック信号を出力する。ロック制御部２６は、ロック信号を受信すると、コントローラからホスト装置１１に入力データの送信を禁止するとともに、ロック信号をホスト装置１１に送信する。これにより、その後のキー入力が禁止される。
【００３１】
図３は、図１及び図２に示すホスト装置１１の機能の一部を例示する機能ブロック図である。インタフェース４１は、図２の第１ブリッジ３１、第２ブリッジ３２、及びＩ／Ｏ制御ＩＣ３３により構成され、主制御部４２、精算処理手段４３、入力制御手段４４、表示制御手段４５、印刷制御手段４６、電力管理手段４７、図２のＣＰＵ３０、メモリ３５、及びメモリ等に記憶される制御プログラム、制御データ等により構成される。
【００３２】
ホスト装置１１の各機能を図３に示す機能ブロックに沿って説明する。精算処理手段４３は、入力データに基づいて、顧客の購入した商品の値段、個数等のデータを取得し、精算処理を実行する。入力制御手段４４は、入力装置１２、タッチパネル１６、図示しないバーコードスキャナ等の入力装置の入力動作を制御する。表示制御手段４５は、オペレータ表示部及びカストマディスプレイ等の表示装置１３を制御して、精算過程における精算情報、及び精算結果等を表示部に表示させる。印刷制御手段４６は、プリンタ１４を制御して、レシート印刷、スリップ印刷等を実行させる。電力管理手段４７は、電源ユニット３７を通じて供給される電力を管理し、ロックモード時に不要な消費電力を抑制する（本明細書では、このようなロックモード時の省電力状態を「省電力モード」と称する）。また、電力管理手段はロックモードと無関係に、例えば、精算処理装置が所定時間使用されない場合に、ＣＰＵの動作クロックの周波数を落として消費電力を抑制するよう構成することもできる（このようなロックモード時以外の省電力状態を「スリープモード」と称する）。
【００３３】
尚、以上の実施形態では、入力装置１２内にロック部２３及びロック制御部２６を設けた例を示したが、ホスト装置１１または表示装置１３、プリンタ１４などの周辺装置内に設ける構成も可能である。さらに、入力装置１２内にロック部２３のみを設けて、ホスト装置１１で入力データを受付けないよう構成することも可能である。すなわち、この構成においては、入力装置１２がコントローラ２２を介してホスト装置１１に入力データを送信しても、ホスト装置１１の入力制御手段４１が、その入力データを受付けないように動作する。
【００３４】
電源スイッチ３６は、精算処理装置１０の電源を投入し、または切断するために物理的に操作可能なスイッチである。このスイッチを投入することにより、電源ユニット３７を起動させる。ホスト装置１１、入力装置１２、表示装置１３等は、電源ユニット３７から電力を供給される構成であってもよいし、各装置が、独自に電源ユニットを有する構成であってもよい。
【００３５】
入力装置１２、表示装置１３、タッチパネル１６、プリンタ１４は、インタフェース４１を介して、ホスト装置１１に接続されている。図３では、機能を分かり易く示すために、タッチパネル１６を表示装置１３から分離している。本発明におけるタッチパネル１６の特別の機能については、後述する。
【００３６】
＜精算処理装置の機能及び動作＞
精算処理装置１０の基本機能である精算処理について説明する。オペレータにより、購入商品データがホスト装置１１に入力されると、精算処理手段４３により、購入商品の精算処理が実行される。同時に、表示制御手段４５の制御の下、購入商品の価格、購入商品の累計金額等が順次表示装置１３に表示される。すべての購入商品のデータ入力が終了すると、印刷制御手段４６の制御に基づいて、プリンタ１４から、購入商品の商品名、単価、購入個数、合計金額等を印刷したレシートが発行される。
【００３７】
精算処理装置１０は、その主要部として、上述のような精算処理動作を実行する。しかし、オペレータの交代時など、オペレータが精算処理装置を離れるときには、オペレータはロックキー２４を操作して、精算処理装置１０をロックモードに設定する。
【００３８】
ロックモードになると、前述したとおり、精算処理装置１０へのデータ入力ができなくなる。さらに、電力管理手段４７は、ロック信号を受信することにより省電力モードに移行する。本発明にかかる省電力モードは、前述したスリープモードと同じ状態であってもよいが、スリープモードとは異なる特殊な省電力の構成とすることもできる。例えば、ＣＰＵ３０の動作クロックを低速にするとともに、表示装置１３、入力装置１２、タッチパネル１６、及びプリンタ１４等の電源を落とす等、精算処理装置１０の設置環境、動作環境に応じた省電力モードの構成が可能である。
【００３９】
ロックモードは、ロックモードが解除されるまでは、精算処理装置１０が使用されないことを前提に設定される。従って、ロックモード期間中においては、緊急事態でも発生しない限り、精算処理装置１０は動作停止状態にある。従って、この期間中に精算処理装置で消費される電力は無駄になる。この状況を回避するため、精算処理装置１０全体の電源をＯＦＦにすることが考えられる。しかし、電源をＯＦＦにすると、初期設定データ等の所定のデータもクリアされてしまい、1日に何回も電源のＯＮ−ＯＦＦを繰り返すことは、精算処理装置の履歴管理上好ましくない。また、電源を投入する度に自己診断プログラムが始動し、立ち上げに時間がかかるという問題もある。従って、オペレータが一時的に精算処理装置を離れるとき等、一定時間精算処理装置１０を動作させないことが確実な場合は、精算処理装置１０の入力を禁止してロックモードにする機能は有用である。
【００４０】
そこで、本発明は、ロックモードへの移行時には、入力をロックする機能とともに、省電力機能を付与することにより、無駄な電力の消費を抑制するよう構成した。すなわち、ロックモード移行時には、必要最小限の電力のみ供給するよう構成して無用の電力の消費を抑制する。必要最小限の電力とは、例えば、ロック信号及びロック解除信号を監視するための電力、ロック解除信号を受信したときに通常の動作ができる状態に復帰するための電力等である。
【００４１】
図４に、本発明の一実施形態にかかる電力管理手段４７の機能ブロック図を例示する。電力管理手段４７に、スリープモードへ移行する機能を設けることも可能であるが、図４では、本発明の特徴を明瞭にするために、本発明の特徴部分であるロックモードへの移行に伴う省電力モードの機能のみを示している。
【００４２】
電力管理手段４７には、信号監視部５１、省電力移行制御部５２、電力復帰処理部５３、非常復帰処理部５４、省電力処理部５５、電力復帰処理部５６及びタッチパネル電力供給部５７を備えている。信号監視部５１は、ロックキー２４がロック位置にあるときにロック部２３から出力されるロック信号と、ロック位置以外に移動したときに出力されるロック解除信号とを監視している。ロック信号が出力されなくなったときをロック解除信号と認識するように構成することも可能である。
【００４３】
＜省電力モードへの移行及びロックモードの解除動作＞
信号監視部５１がロック信号の出力を検知すると、省電力移行制御部５２を起動する。省電力移行制御部５２は、省電力処理部５５の処理動作を制御する。省電力処理部５５は、例えば、ＣＰＵ３０の動作クロックを、通常の動作クロックよりも低い周波数の動作クロックに切り替える。また、ホスト装置１１、入力装置１２、表示装置１３、プリンタ１４等のうち、ロックモード時に使用しない装置の不必要な電力の供給を停止または制限する。これにより、電力管理手段の監視機能と復帰機能を維持し、所定のデータ保持のための電力を供給し、それ以外の他の電力を停止することが可能である。
【００４４】
この際、一定の装置については、ロックモードへの移行時に直ちに電源を停止しない方が望ましい。例えば、インクジェットプリンタ等のように立ち上げ時にクリーニングが必要になる等、電源投入後に所定の時間を要する装置については、ロックモードに移行しても電源を落とさないか、または、ロック信号を受信した後所定時間経過してから電源を落とすように構成することが望ましい。省電力移行制御部５２は、このような省電力モードへの移行の処理動作を制御する。
【００４５】
信号監視部５１がロック解除信号を受信すると、電力復帰制御部５３が起動される。電力復帰制御部５３は、電力復帰処理部５６を制御して、ＣＰＵ３０の動作クロックを通常の動作クロックに戻し、供給を停止していた各部に電力を供給する。これにより、精算処理装置１０は、省電力モードから通常電力が供給される通常動作モードに復帰する。
【００４６】
非常復帰制御部５４は、ロックキー以外の方法でロックを解除するための手段である。例えば、担当のオペレータがロックキーを持ったまま所在不明であるにもかかわらず別のオペレータが精算処理措置１０を使用する必要がある場合、ロックキー２４を紛失した場合等には、ロックキー２４を用いない復帰方法が必要となる。また、保守又は修理等の理由により、ロックモードのままロック部２３が設けられている装置（本実施例では入力装置１２）がホスト装置から取り外された場合にも、ロックキー２４を用いないでロックモードを解除する方法が必要である。
【００４７】
このような事態に備えて、図４に示す電力管理手段４７では、非常復帰制御部５４を設けて、ロックキー２４を用いずにロックモードを解除することができるようにしている。非常復帰制御部５４は、ロックモード状態において電源スイッチ３６が押下されて電源投入信号（電源スイッチＯＮ信号）を検知すると、タッチパネル電力供給部５７を制御して、まずタッチパネル１６に電力を供給する。
【００４８】
図５に、ロックモード状態において、タッチパネル１６の電源が投入された場合の一例を示す。図５に示すように表示装置１３上のタッチパネル部分に、所定のタッチキー１７が表示される。図５では、Ａ，Ｂ，Ｃ，Ｄの４個のタッチキー１７が表示されているが、数字その他の記号であっても良く、表示されるタッチキー１７の数も任意に設定できる。オペレータは、これらのタッチキー１７を用いて、ロックモードを解除するためのパスワードを入力する。パスワードは所定のタッチキー１７の組み合わせから構成され、あらかじめ決められている。例えば、Ａを２回、Ｄを１回、Ｂを５回、さらにＡを1回入力する（ＡＡＤＢＢＢＢＢＡ）等の複雑な組み合わせをパスワードとして設定しておくことが可能である。
【００４９】
尚、操作をより簡単にするため、例えば、一つタッチキー１７を表示し、その表示されたタッチキー１７を、所定の時間間隔で連続５回押下することによりロックモードを解除するような構成としても良い。また、タッチパネル１６の右下や中央など所定の位置を所定回数タッチする動作を、パスワードとして用いる構成も可能である。省電力モードにおいては、表示装置１３の表示を行わないことがあるので、この構成をとることが好ましい。
【００５０】
パスワードが正確に入力され、非常復帰制御部５４がこれを検証すると、非常復帰制御部５４は電力復帰制御部５３にロック解除信号と同じ信号を出力する。これにより電力復帰制御部５３はロックモード状態および省電力モードを解除して、精算処理装置１０を通常動作モードに復帰させる。
【００５１】
＜ロックモードへの移行処理手順＞
ロックモードへの移行処理手順の一例について、図６のフローチャートを用いて説明する。ロックモードへの移行処理は、ロックキー２４がロック位置に移動されることにより出力されるロック信号に基づいて開始される。そのため、ロック制御部２６はロック信号を監視している（Ｓ１０１）。ロックキー２４がロック位置に移動されると、ロック信号が出力される。ロック信号を受信すると（Ｓ１０１；Ｙｅｓ）、ロック制御部２６は入力キー２１によるデータ入力を禁止する（Ｓ１０２）。データ入力の禁止は、ロック制御部２６からの制御信号に基づいて、入力装置１２のコントローラ２２からホスト装置１１に入力データを送信させないようにすること、又はホスト装置１１の入出力制御手段４４が入力データを受付けないようにすること等により実現可能である。
【００５２】
次に、ロック信号に基づいて電力管理手段４７が、省電力モードに移行し（Ｓ１０３）、不要な電力の供給を停止又は制限する。例えば、ホスト装置１１に接続されている各装置１２，１３，１４等、又はホスト装置内の各部への不要な電力の供給を停止し、ＣＰＵ３０を低速の動作クロックに切り替える。また、接続されている所定の周辺装置等について、一定の時間経過後に電力の供給を停止又は制限するような構成も可能である。
【００５３】
＜ロック解除処理手順＞
ロックモードの解除処理手順の一例を、図７のフローチャートを用いて説明する。ロックモードの解除処理は、原則としてロック解除信号を受信することにより実行される。図７のフローチャートでは、さらに、非常時においてタッチパネルを用いてロック解除を行うことができるようにした処理手順を例示している。ロック解除処理、すなわちロックモードを解除して通常動作モードへ復帰する処理は、電力を復帰させる工程と、データ入力の禁止を解除する工程が主となる。
【００５４】
ロックモード状態においては、ロック解除信号を受信したか否かを監視しており（Ｓ２０１）、ロック解除信号を受信すると（Ｓ２０１；Ｙｅｓ），まず停止していた電力を各部に供給して通常動作モードの状態に復帰させる（Ｓ２０５）。次に、データ入力の禁止を解除して、データ入力を受付け可能にする（Ｓ２０６）。
【００５５】
ロック解除信号を受信してない場合には（Ｓ２０１；Ｎｏ）、さらに電源スイッチＯＮ信号を受信したか否かが確認される（Ｓ２０２）。電源スイッチＯＮ信号を受信していなければ（Ｓ２０２；Ｎｏ）、ロック解除信号及び電源スイッチＯＮ信号の監視処理が繰り返される（Ｓ２０１、２０２）。ロックモード時に電源スイッチＯＮ信号を受信すると（Ｓ２０２；Ｙｅｓ）、タッチパネル１６に電力を供給するとともにタッチキー１７の入力を受付ける（Ｓ２０３）。タッチキー１７の操作によりパスワードが入力されると、正しいパスワードであるかどうかが検証される（Ｓ２０４）。パスワードが異なる場合には（Ｓ２０４；Ｎｏ）確認処理が繰り返される。パスワードが検証されると（Ｓ２０４；Ｙｅｓ）、ロック解除信号を受信した場合と同じように、電力を復帰させて（Ｓ２０５）、データの入力を受付ける（Ｓ２０６）。
【００５６】
処理工程Ｓ２０３及びＳ２０４において、入力されたパスワードが所定の回数に一致しない場合には、タッチパネルによる解除処理を中止して音声その他の警報を発生するように構成してもよい（図示せず）。
【００５７】
以上の実施形態においては、キーボード(入力装置１２)上にロック部２４及びロック制御部２６を設けた例を示したが、ロック部２４及びロック制御部２６をホスト装置１１、プリンタ１４、表示装置１３、その他の装置に設けることも可能である。その場合には、キーボード等の入力装置１２からの入力の禁止は、ホスト装置１１の入力制御手段により制御する構成とすることが望ましい。
【００５８】
また、上記説明においては、メカニカルキー（鍵）方式のロックキー２４を、物理的に回転させてロック信号及びロック解除信号を出力する例を示したが、ロックキー２４として磁気カード、ＩＣカードを用いることも可能である。磁気カード、ＩＣカードから所定のデータを読み取らせることにより、ロックモードに移行し、またはロックモードを解除するような構成としてもよい。さらに、ロックキー２４を用いることなく、所定のパスワードを入力してロックモードに移行するように構成することも可能である。さらに、ロックモード時においても一部のタッチキー１７を使用可能にしておき、非常時に即座にパスワードの入力ができるように構成してもよい。
【図面の簡単な説明】
【００５９】
【図１】本発明にかかる精算処理装置の基本的な構成要素の一例を示す図である。
【図２】図１に示す精算処理装置の接続形態を示す図である。
【図３】図１に示す精算処理装置の機能ブロック図である。
【図４】本発明の一実施形態にかかる電力管理手段の機能ブロック図である。
【図５】ロックモード状態において、タッチパネルに電力が供給された場合の一例を示す外観図である。
【図６】ロックモードへの移行処理手順の一例を示すフローチャートである。
【図７】ロックモードの解除処理手順の一例を示すフローチャートである。
【符号の説明】
【００６０】
１０  精算処理装置                      １１  ホスト装置
１２  入力装置                          １３  表示装置
１４  プリンタ                          １５  キャッシュドロア
１６  タッチパネル                      １７  タッチキー
２１  入力キー                          ２２  コントローラ
２３  ロック部                          ２４  ロックキー
２５  キー穴                            ２６  ロック制御部
３０  ＣＰＵ                            ３１  第１ブリッジ
３２  第２ブリッジ                      ３３  Ｉ／Ｏ制御ＩＣ
３５  メモリ                            ３６  電源スイッチ
３７  電源ユニット                      ３８  発振回路
４１  インタフェース                    ４２  主制御部
４３  精算処理手段４３                  ４４  入力制御手段
４５  表示制御手段                      ４６  印刷制御手段
４７  電力管理手段                      ５１  信号監視部
５２  省電力移行制御部                  ５３  電力復帰制御部
５４  非常復帰処理部                    ５５  省電力処理部
５６  電力復帰処理部                    ５７  タッチパネル電力供給部
【図１】
2006190017.tif 000003
【図２】
2006190017.tif 000004
【図３】
2006190017.tif 000005
【図４】
2006190017.tif 000006
【図５】
2006190017.tif 000007
【図６】
2006190017.tif 000008
【図７】
2006190017.tif 000009